(57)【要約】      （修正有）【課題】キャリアーガスを液体物質中に送入して、該物質を蒸発させて使用・消費装置に供給するバブラーにおいて、その最低及び最高液面に応じて正確且つ高い信頼性で操作を可能ならしめる単純・簡単な再充填システムを提供する。【解決手段】液体物質３を蒸発させ、次いで使用・消費装置に搬送するために、キャリアーガス７が内部に搬送されるバブラー１が配設される。最低液面４に達した場合、正確な量の該物質３が貯蔵タンク１５から再充填される。このような目的のために、中間タンク２５が配設され、不活性ガスで圧力Ｐ１にまで充填される。不活性ガス２１はＰ１よりも高い圧力Ｐ２において貯蔵タンク１５に充当される。中間タンク２５は貯蔵タンク１５に接続され、その結果特定量の該物質３が、中間タンク２５内に流入し、接続ライン１７を経由して該バブラー１に搬送され、該不活性ガス２１はＰ２よりも低い圧力Ｐ３において接続ライン１７に充当される。【選択図】図１
2005230819.tif 000002
【特許請求の範囲】
【請求項１】
液体物質（３）が充填され且つ接続ライン（１７）を経由してバブラー（１）と接続された浸漬管（１６）が内部に突出して配設される貯蔵タンク（１５）；
バルブ（２２）によって該貯蔵タンク（１５）のガスチャンバー（１９）に接続された不活性ガスライン（２１）及び該液体物質（３）を該バブラー（１）内に充填するための該接続ライン（１７）内に設けられた充填バルブ（１８）；
供給ライン（９）内のバルブ（１２）；
キャリアーガスライン（７）内のバルブ（８）；
該バブラー（１）内の液面センサー（５）；及び
最低液面（４）に達した場合該液面センサー（５）により起動・作動することによってこれらのバルブを操作して該バブラー（１）を再充填する制御装置、
とを用いて、該液体物質（３）を収容し且つ該キャリアーガスライン（７）を経由してキャリアーガスを内部に送入することによって該液体物質（３）を蒸発させ、次いで該供給ライン（９）を経由して使用・消費装置に搬送するようにした、一基のタンク（２）を有して成る少なく一機のバブラー（１）を再充填するための装置であって、
該貯蔵タンク（１５）よりも容量が小さい中間タンク（２５）と、
バルブ（２９）で該中間タンク（２５）に接続された不活性ガスライン（２８）と、
該中間タンク（２５）から該接続ライン（１７）に到る、バルブを備えた接続合流ライン（２３）と、
該浸漬管（１６）と該接続合流ライン（２３）との間に配設された接続ライン（１７）内のバルブ（３１）と、
該接続合流ライン（２３）と充填バルブ（１８）との間において該接続ライン（１７）に接続された、バルブ（３３）を備えた不活性ガスライン（２８）、及び
該接続合流ライン（２３）と該接続ライン（１７）に接続された不活性ガスライン（２８）との間の該接続ライン（１７）内のバルブ（３４）、
とを特徴とする前記装置。
【請求項２】
圧力制御器（２５，３６，３７）が、貯蔵タンク（１５）に接続された不活性ガスライン（２１）内、該中間タンク（２５）に接続された不活性ガスライン（２８）内及び該接続ライン（１７）に接続された不活性ガスライン（３２）内にそれぞれ配設されることを特徴とする、請求項１において記載された装置。
【請求項３】
該不活性ガスライン（２８）を経由して不活性ガスを作用させた場合直ちに該中間タンク（２５）が空になるような態様で、該接続合流ライン（２３）が、中間タンク（２５）上に配置されることを特徴とする、請求項１において記載された装置。
【請求項４】
バルブ（１４）を備えたガス排出ライン（１３）が、該バブラー（１）のタンク（２）上に配置されることを特徴とする、上記請求項の内のいずれか一項において記載された装置。
【請求項５】
該貯蔵タンク（１５）に接続された該不活性ガスライン（２１）、及び/又は該接続ライン（１７）に接続された該不活性ガスライン（３２）及び/又は該バブラー（１）に接続されたガス排出ライン（１３）が、真空に接続可能であることを特徴とする、前記請求項の内のいずれか一項において記載された装置。
【請求項６】
数機のバブラーが、数機の使用・消費装置に対して配設されること、及び浸漬管（１６）から該不活性ガスライン（３２）までの該接続ライン（１７）内のセクション部分が、個別のライン（１７’，１７’’，１７’’’）がそれぞれのバブラー（１）に導出される該接続ライン（１７）の主要セクシション部分を構成することを特徴とする、上記請求項の内のいずれか一項において記載された装置。
【請求項７】
該接続ライン（１７）の該セクシション部分（１７’）、又は該不活性ガスライン（３２）と該バブラー（１）との間の各個別のライン（１７’，１７’’，１７’’’）が、立上り管の形状であることを特徴とする、請求項１乃至６の内のいずれか一項において記載された装置。
【請求項８】
該個別のライン（１７’，１７’’，１７’’’）が各々、該不活性ガスライン（３２）とそれぞれのバブラー（１）上の該充填バルブ（１８）との間においてバルブ（３５’，３５’’，３５’’’）を有することを特徴とする、請求項６又は７において記載された装置。
【請求項９】
最低液面（４）に到達した後、該液面センサー（５）が、該制御装置を駆動・作動させて、下記する工程を実行させることを特徴とする、請求項１乃至８において記載された装置を用いて少なくとも一機のバブラー（１）を再充填する方法：
（１．）加圧ガスライン（７）におけるバルブ（８）及び供給ライン（９）におけるバルブ（１２）とを閉止し、次いで該バブラー（１）を真空真空排気した後、予め定めた所定の圧力（Ｐ１）が、接続された不活性ガスライン(２８)を経由して空の中間タンク（２５）について設定されること、
（２．）接続された不活性ガスライン（２１）を経由して、予め定めた所定の圧力（Ｐ２）が、貯蔵タンク（１５）において設定されるに際して、該圧力が、該中間タンク（２５）において工程（１．）にて設定された圧力（Ｐ１）よりも高くすること、
（３．）次いで該貯蔵タンク（１５）が、該貯蔵タンク（２５）と接続されて、かくして貯蔵タンク（１５）内の該圧力（Ｐ２）と中間タンク（２５）内の圧力（Ｐ１）との圧力差に相当する量の液体物質（３）が、該中間タンク（２５）内に移送されること、
（４．）該貯蔵タンク（１５）と中間タンク（２５）との間における接続が、切り離されること、
（５．）接続ライン（１７）に接続された不活性ガスライン（３２）を経由して、圧力（Ｐ３）が、中間タンク（２５）の接続合流ライン（２３）とバブラー（１）との間の接続ライン（１７）の当該セクション部分（１７’）内において及び該バブラー（１）内において設定されるに際して、該圧力を中間タンク（２５）内において工程（３．）にて到達した圧力よりも低くすること、及び
（６．）該中間タンク（２５）と該バブラー（１）とが、相互に接続され、かくして該中間タンク（２５）内に収容された液体物質（３）を接続合流ライン（２３）とバブラー（１）との間における接続ライン（１７）の当該セクション部分（１７’）内及び該バブラー（１）内に移送すること。
【請求項１０】
該工程（６．）が、下記であることを特徴とする、請求項９において記載された方法：
（７．）該貯蔵タンク（１５）が、真空排気されること、及び
（８．）該液体物質（３）が、該接続ライン（１７）内において吸引されて真空排気された貯蔵タンク（１５）内に戻されること。
【請求項１１】
工程（５．）において、該中間タンク（２５）を該バブラー（１）よりも低い位置に配置させることによって、該中間タンク（２５）から該接続ライン（１７）内及び該バブラー（１）内への液体物質（３）の移送が、該バブラー（１）内の圧力が、該中間タンク（２５）内の圧力（Ｐ２）から該バブラー（１）と該中間タンク（２５）との高低差に基因する静水圧を減じた差と同一となった場合に実行されることを特徴とする、請求項９又は１０において記載された方法。
【発明の詳細な説明】
【技術分野】
【０００１】
本発明は、請求項１乃至９において記載されているように、キャリアーガスを液体物質中に送入して、かくして該物質を蒸発させて使用・消費装置に供給するために使用されるバブラー(Bubbler)（１）を再充填するための装置及び方法に係わる。
【背景技術】
【０００２】
かかる装置及び方法は、既に公知となっている。前記消費装置とは、例えば化学蒸着（ＣＶＤ）反応装置である。このようなＣＶＤ反応装置は、超小型集積電子回路やその他の類似した電子部品を製造するために使用される。該電子部品に対して一層厳しくなる要求に合致するために、極めて高い純度の物質が、化学蒸着プロセスに使用する必要がある。使用される物質は、通常は液状である有機金属及び半金属物質である。
【０００３】
極めて高い純度に対する要求以外に、ＣＶＤ反応装置内において特定されるガス混合物組成、従ってＣＶＤ反応装置に送入する物質量の均一さに対して正確に対応し、これを遵守することを確保することもまた重要である。ＣＶＤ反応装置へのライン内において蒸発した物質が凝縮するために生起する組成の変化を防止するために、かかる反応装置に可能な限り近接してバブラーを設置することが必要である。従ってこのようなバブラーは、容量が小さいものである必要があり、つまり頻繁に再充填する必要がある。このような目的のために、公知の装置においては、液体物質は、不活性ガスを用いて貯蔵タンクから当該バブラー内へ圧送されている。
【０００４】
ＣＶＤ反応装置へ送入される物質の量は、不活性ガスが液体物質中を上昇する過程で当該液体物質内をキャリアーガス気泡が通過する距離に応じて変動する。バブラー内で液体物質が蒸発するために、かかる距離は、漸進的に短縮され、キャリアーガス中の蒸発物質の量は、漸進的に減少する。従来公知の装置においては、その結果生じる濃度変化は、最低液面及び最高液面に対してそれぞれセンサーを配設することによって可能な限り小さくなるように保持している。
【０００５】
しかしながら、液面センサーは本来、相対的に不正確であり、特別信頼性が高いものではない。従って、二つの液面センサーを使用することは、重大な問題に関連してくる。更には、使用する液体物質は自然発火性を有することが多く、従って最大液面に対する液面センサーの誤作動に基因してバブラーからかかる物質が漏出すると、重大な危険・災害となる。
【発明の開示】
【発明が解決しようとする課題】
【０００６】
従って本発明の目的は、バブラー内における最低及び最高液面に応じて正確且つ高い信頼性で操作を可能ならしめる単純・簡単な再充填システムを提供することである。
【課題を解決するための手段】
【０００７】
かかるシステムの提供は、本発明に従えば、請求項１において記載された装置を用いて実現・達成されるのである。請求項２乃至８は、本発明に従った装置の有利な実施態様を記載する。
【０００８】
請求項９においては、本発明に従ったバブラーの再充填を行うための好ましい方法が記載されているが、この方法は、更には請求項１０及び１１において記載された特徴において具体化される。
【発明の効果】
【０００９】
本発明に従えば、正確に規定された量の液体物質が、再充填操作の過程でバブラーに送入される。このような正確な規定は、圧力測定によってのみ支配される。１／１０００インチ範囲内までの正確な圧力センサーが市販されているため、本発明に従えば、バブラーの液面を正確に設定することが出来るのである。
【発明を実施するための最良の形態】
【００１０】
バブラー内の液体物質を蒸発させるために使用するキャリアーガスは、例えばアルゴンなどの希ガスである。貯蔵タンク、中間タンク及び接続した不活性ガスラインを経由した貯蔵タンクとバブラーとの間の接続ラインに移送される不活性ガスもまた、アルゴンなどの希ガスである。
【００１１】
最低液面を検知するために本発明に従って使用される液面センサーは、例えば熱センサー、フロート又は超音波若しくはレーダーセンサーなどであればよい。
【００１２】
このバブラーに接続するのは、接続ライン及び使用・消費装置への供給ラインである。キャリアーガスラインの一部を形成する浸漬管をバブラー内の液体物質の中に浸漬して、液体物質内を上昇するキャリアーガス泡沫と共に蒸発した液体物質を捕集するのである。
【００１３】
蒸発した液体物質と共にキャリアーガスをプロセスの当初から使用・消費装置に安定して流入させるために、バルブを備えたガス排出ラインをも供給ラインに配設し、かくして蒸発した液体物質を含むキャリアーガスは先ず最初に、使用・消費装置への供給ラインが開放されないうちに、移送されることになる。
【００１４】
中間タンクは好ましくは、中央貯蔵タンクに近接して配置させるのがよいが、バブラーは、通常は使用・消費装置に近接して配置するのであり、また貯蔵タンク及び中間タンクとは、バブラー及び使用・消費装置よりも低い位置に設置するのである。建屋内においては、接続ラインは、貯蔵タンク及び中間タンクから使用・消費装置に到るまでの、しばしば長さが数メートルである立上り管の形状とする。
【００１５】
数機のバブラーを中間タンクを経由して中央貯蔵タンクを使用して充填する場合は、貯蔵タンク内の浸漬管から不活性ガスラインに到るまでの接続ラインのセクション部分が、当該接続ラインの主要部を構成し、この主要部から個別のラインが、立上り管の形状としてそれぞれ個別のバブラーにまで導出される。次いで不活性ガスラインとこれら複数のバブラーのそれぞれとの間には、それぞれ個別のライン内に一つのバルブが備えられるのである。不活性ガスライン内の圧力調節器を使用して、これら複数のバブラーに到る立上り管内圧力を個別に設定することが出来るのであって、従ってこれらバブラーは、例えば異なる階床に設置してもよい。
【００１６】
本発明に従った装置においては、最低液面が最低液面センサーによって検出された場合、液面センサーによって制御バルブが、起動・作動されて、該当するバルブを作動させることによって下記する工程を実行するのである：
【００１７】
（１）キャリアーガスライン及び供給ラインにおけるバルブを閉止し、次いで当該バブラーを例え接続ラインに接続したばガス排出ライン又は不活性ガスラインを経由して液体物質３の蒸気圧にまで真空排気する。所定の圧力（Ｐ１）が、タンクに接続した不活性ガスライン(２８)を経由して空になっている中間タンクについて設定されるのである。
（２）所定の圧力（Ｐ２）が、貯蔵タンクに接続した不活性ガスラインを経由して貯蔵タンクにおいて設定されるのであるが、該圧力は、該中間タンクにおいて工程（１）にて設定された圧力（Ｐ１）よりも高くする。
（３）貯蔵タンクを中間タンクに接続して、ボイル／マトリオットの法則に従った、貯蔵タンク内の圧力（Ｐ２）と中間タンク内の圧力（Ｐ１）との圧力差（ΔＰ）に中間タンクの容量を乗じて得られる積に相当する液体物質量を中間タンク内に充填する。
（４）貯蔵タンクと中間タンクとの間の接続を切り離し、遮断する。このことは、この中間タンク内には正確に規定された量の液体物質が、既に入っていることを意味する。
（５）接続ラインに接続された不活性ガスラインを経由して、圧力（Ｐ３）が、中間タンクの接続合流ラインとバブラーとの間の接続ラインの当該部分内及びバブラー内において設定されるのであるが、該圧力は、中間タンク内において工程（３）にて設定した圧力よりも低くする。
（６）該中間タンクとバブラーとを相互に接続して、中間タンク内の圧力（Ｐ２）とバブラー内及び不活性ガスラインとバブラーとの間接続ラインの当該部分内の圧力（Ｐ３）との圧力差から中間タンクとバブラー（1）との高低差に基因する静水圧を減じた差に相当する量の液体物質をバブラー内に充填する。このことは、正確に予め規定した、中間タンク内の所定量が、中間タンクからバブラーへ移送されたことを意味する。
【００１８】
この接続ラインを空にするために、下記する工程を実施することが有利である：
（７）貯蔵タンクを真空排気する、及び
（８）この接続ライン中の液体物質を吸引して、真空排気した貯蔵タンク内に戻す。
【００１９】
バブラーを充填した後、キャリアーガスをバブラー内の液体物質中に移送する。なおその態様は、含まれる蒸発液体物質と共にキャリアーガスが先ずガス排出ラインを経由して排出されるようにするが、排出は、蒸発した液体物質を含むキャリアーガスの安定した流れが実現する時点までとし、完了と同時に使用・消費装置への供給ラインを開放するのである。
【００２０】
本発明に従った構成は、安全度が顕著に増大するという効果をもたらすのである。例えば、最高液面のための液面センサーが、有意に信頼性が高く且つ正確で而もより安価である圧力制御器又は圧力センサーで代替されることになる。液面センサーが一点故障型装置であるのに対して、本発明に従えば、工程１乃至６の何れにおいても二つの圧力センサーを使用しているため、重複・冗長性が得られ、実現されるのである。更には、接続ラインが、バブラーの再充填時間中に限ってのみ塞がれているに過ぎないのであり、それ以外は、即ち大半の時間は塞がれていないのである。
【実施例１】
【００２１】
次に本発明を図面に言及して実施例に基いて更に詳細に説明する。図１乃至６は、本発明に従った装置の一つの実施態様をバブラーを再充填する各工程と共に概略図として示す。
【００２２】
図１に従えば、バブラー１は、液体物質３で充填され且つ図１においては液面センサー５によって検出される最低液面４の状態となっているタンク３を有する。
【００２３】
浸漬管６が、液体物質３中に浸漬され、この浸漬管を通じてキャリアーガスが、バルブ８を備えたキャリアーガスライン７により液体物質３中に移送されて、液体物質３を蒸発させる。
【００２４】
蒸発した液体物質３は、供給ライン９を経由して図示していない使用・消費装置、例えばＣＶＤ装置に移送される。バブラー１のガスチャンバー１１に接続された供給ライン９は、バルブ１２を備える。ガスチャンバー１１とバルブ１２との間において、バルブ１４を備えたガス排出ライン１３が、この供給ライン９に接続される。
【００２５】
バブラー1に再充填する液体物質３は、貯蔵タンク１５に貯蔵保管される。この貯蔵タンク１５内の液体物質中に浸漬されるのは、浸漬管１６であるが、この管は、接続ライン１７によってバブラー１のガスチャンバー１１と接続され、また充填バルブ１８は、バブラー１に面する接続ライン１７の末端と当接する。
【００２６】
貯蔵タンク１５のガスチャンバー１９には、バルブ２２を備えた不活性ガスライン２１が接続される。貯蔵タンク１５もまた、不活性ガスライン２１を経由して真空排気することが出来る。
【００２７】
貯蔵タンク１５に面した接続ライン１７の端部において、中間タンク２５が、バルブ２４を備えた接続合流ライン２３を経由して接続ライン１７に接続され、前記中間タンクの容量は、貯蔵タンク１５よりも顕著に小さい。接続合流ライン２３は、中間タンク２５の基底部２６において接続される。バルブ２９を備えた不活性ガスライン２８は、中間タンク２５の上部に接続される。
【００２８】
接続合流ライン２３と浸漬管１６との間において、更なるバルブ３１が、接続ライン１７内に配設される。更には接続合流ライン２３と充填バルブ１８との間において、バルブ３３を備えた不活性ガスライン３２が、やはり貯蔵タンク５に面する接続ライン１７の端部において接続ライン１７に接続される。別のバルブ３４が、接続合流ライン２３と不活性ガスライン３２との間において接続ライン１７内に備えられる。
【００２９】
圧力制御器３５，３６及び３７は、貯蔵タンク１５のガスチャンバー１９に接続された不活性ガスライン、中間タンク２５に接続された不活性ガスライン２８及び接続ライン１７に接続された不活性ガスライン３２の内部にそれぞれ配設される。
【００３０】
接続合流ライン２３を中間タンク２５の基底部に接続することによって、液体物質は、図３及び４において示し且つ以下において詳述するように、充分高い圧力が中間タンク２５にかけられた場合完全に真空排気される。
【００３１】
貯蔵タンク１５のガスチャンバー１９に接続された不活性ガスライン２１に真空源が接続されると同様に、類似した真空接続が、接続ライン１７に接続した不活性ガスライン３２に行うことが出来る。真空は又、ガス排出ライン１３を適用して、接続ラインとバブラー１のタンク２を真空排気にすることが出来る。
【００３２】
不活性ガスライン３２と充填バルブ１８との間にある接続ライン１７のセクション部分は、立上り管１７’の形状となっている。複数の使用・消費装置のための数機のバブラー１が、中間タンク２５を備えた貯蔵タンク１５から充填する必要がある場合は、浸漬管１６から不活性ガスライン３２に到る接続ライン１７のセクション部分が、主要部分を構成し、この主要部分から個別ライン１７’、１７’’及び１７’’’が、図１において概略図として示すように何れの場合でもそれぞれのバブラー１にまで導出される。ライン１７’、１７’’及び１７’’’はそれぞれ、不活性ガスライン３２とそれぞれのバブラー１との間においてバルブ３８’、３８’’及び３８’’’を備えるが、これらは、ライン１７’、１７’’及び１７’’’の端末部に配置され、不活性ガスライン３２に面する。
【実施例２】
【００３３】
本発明の更なる説明として、可記する実施例を図１乃至６と組み合わせて示す：タンク内の真空排気済みチャンバーは、白色のハッチで示し、ガス充填したチャンバーは灰色のハッチで示し、また液体充填したチャンバーは、黒色のハッチで示す。この実施例は、立上り管１７’を一本のみ配設した、即ちバルブ３８を配設しない装置を記述するものであることに注目されたい。
【００３４】
このタンクは、容量がほぼ１，０００ｃｍ3である。図１におけるバブラー１内における液体物質の液面が、最低液面、例えば５００ｃｍ3にまで低下した場合、液面センサー５が、図示していない制御装置を作動させ、次いでこの制御装置が、バルブ８，１２，１４，１８，２２，２４，２９，３１，３３及び３４を以下のように駆動・作動させて、液体物質３でバブラー１を再充填させるのである：
【００３５】
第一工程（図１）
バルブ８，１２，２２，２４，２９，３１，３３及び３４を閉止し、バルブ１４及び１８を開放して、ガス排出ライン１３及び不活性ガスライン３２とタンク２との間の接続ライン１７のセクション部１７’を経由してバブラー１のタンク２を真空排気する。中間タンク２５は、容量が例えば１，０００ｃｍ3であり、即ち液体物質３を一切収容していない。バルブ２９を開放し、中間タンク２５には、圧力制御器３６が、中間タンク２５内において予め設定した所定の圧力、例えば２００，０００Ｐａを示すまで不活性ガスを充填する。次いでバルブ２９を閉止する。
【００３６】
第二工程（図２）
バルブ２２を開放し、次いで圧力制御器３５が貯蔵タンク１５内において予め設定した所定の圧力Ｐ２、例えば４００，０００Ｐａを示すまで、貯蔵タンク１５内の真空排気したガスチャンバーに不活性ガスを不活性ガスライン２１を経由して移送する。
【００３７】
第三工程（図２）
バルブ２４及び３１を開放し、貯蔵タンク１５を中間タンク２５に接続する。次いで液体物質３は、中間タンクのガスチャンバー２０内の圧力がＰ２、即ち４００，０００Ｐａとなるまで、貯蔵タンク１５から中間タンク２５内に流入する。その時点では式Ｐ  x  Ｖ  ＝  ｃｏｎｓｔ．に従って、中間タンク２５には、５００ｃｍ3の液体物質３で充填される。
【００３８】
第四工程（図２）
バルブ２４及び３１を閉止し、かくして貯蔵タンク１５と中間タンク２５との接続を切り離す。貯蔵タンク１５のガスチャンバー１９内の圧力は、バルブ２２により減圧され、次いでバルブ２２を閉止する。こうすることによって、貯蔵タンク１５から中間タンク２５内への正確に５００ｍｌの液体物質３の転送工程が終結・完了する。
【００３９】
第五工程（図３）
バルブ１８及び３３を開放して、圧力制御器３７が、予め設定した所定の圧力Ｐ３、例えば５０，０００Ｐａを示すまで、不活性ガスライン３２とバブラー１との間の接続ライン１７の内のセクション部１７’に不活性ガスを充填する。次いでバルブ３３を閉止する。
【００４０】
第六工程（図４）
中間タンク２５内のガスチャンバー２０の容量は、圧力が４００，０００Ｐａである場合は５００ｃｍ3である。不活性ガスライン３２とバブラー１との間の接続ライン１７の内の立上り管セクション部１７’内部のガスチャンバーの容量は、２５０ｃｍ3であり、バブラー１のタンク２のガスチャンバー１１は、容量が５００ｃｍ3である。即ち、立上り管１７’とガスチャンバー１１の合計容量は、圧力が５０，０００Ｐａの場合７５０ｃｍ3である。
【００４１】
次いでバルブ２４及び３４を開放する。このことは、５００ｃｍ3の液体物質３が、立上り管１７’及びバブラー１内に搬送されること、即ち２５０ｃｍ3が、立上り管１７’内に又２５０ｃｍ3がバブラー１内に搬送されることを意味する。容量が１，０００ｃｍ3であるガスチャンバー２０を備えた空の中間タンク２５が２００，０００Ｐａとなった場合、圧力平衡に達したのであり、タンク２のガスチャンバー１１内の圧力は、２００，０００Ｐａから立上り管１７’の静水圧―これは、立上り管１７’の高さのと液体物質３の密度とに依存する−を減じた差となる；即ち液体物質３としてトリメチルアルミニウムを用い且つ立上り管１７’の高さが７メートルとした場合の静水圧は、５０，０００Ｐａである。
【００４２】
第七工程（図５）
バルブ２２を開放し、次いで不活性ガスライン２１を経由して、貯蔵タンク１５を液体物質の蒸気圧―例えばトリメチルアルミニウムの場合、１．０３６Ｐａである−にまで真空排気する。次いでバルブ２２を閉止する。
【００４３】
第八工程（図６）
バルブ３１及び３４を開放するが、その結果立上り管１７’（２５０ｃｍ3）内に収容されていた液体物質が、吸引されて貯蔵タンク１５内に戻るのである。バルブ３１及び３４を閉止する。
【００４４】
工程１乃至４によって、液体物質３は、貯蔵タンク１５から中間タンク２５内に移送され、また工程５及び６では、液体物質３は、中間タンク２５からバブラー１に移送され、また工程７及び８の目的は、再充填プロセス完了後に接続ライン１７を使用することである。
【００４５】
即ち、本発明に従った装置によって、測定値を記録・保存することは一切無い。また再充填作業サイクルを終了するために遵守するべきプロセスシグナルも一切無くなる。
【００４６】
更には、本発明に従った装置を用いることによって、再充填作業サイクルの時間が短縮されるのであて、例えば上記実施例においては、作業サイクルの時間は、ほぼ１分に過ぎないのである。
【図面の簡単な説明】
【００４７】
【図１】バブラー内の液体物質が最低液面となった状態（タンク内のガスチャンバーは排気状態）での本願発明に従ったバブラーを再充填する系の概略図である；
【図２】貯蔵タンクに不活性ガスを供給してガスチャンバーが不活性ガスで充填されている状態での本願発明に従ったバブラーを再充填する系の概略図である；
【図３】不活性ガスを供給して立上り管及びバブラータンクのガスチャンバーがガス充填されている状態での本願発明に従ったバブラーを再充填する系の概略図である；
【図４】液体物質が立上り管及びバブラータンクに搬送されている状態での本願発明に従ったバブラーを再充填する系の概略図である；
【図５】貯蔵タンクを不活性ガスラインにより真空排気した状態での本願発明に従ったバブラーを再充填する系の概略図である；
【図６】真空排気により立上り管内の液体物質が貯蔵タンクに戻っている状態での本願発明に従ったバブラーを再充填する系の概略図である；タンクに不活性ガスを供給してガスチャンバーがガス充填されている状態
【符号の説明】
【００４８】
１：  バブラー
２：  タンク
３：  液体物質
４：  最低液面
５：  液面センサー
６：  浸漬管
７：  キャリアーガスライン
８：  バルブ
９：  供給ライン
１１：  ガスチャンバー
１２：  バルブ
１３：  ガス排出ライン
１４：  バルブ
１５：  貯蔵タンク
１６：  浸漬管
１７：  接続ライン
１７’、１７’’、１７’’’：  個別接続ライン（立上り管セクション部）
１８：  バルブ
１９、２０：  ガスチャンバー
２１：  不活性ガスライン
２２：  バルブ
２３：  接続合流ライン
２４：  バルブ
２５：  中間タンク
２６：  タンク基底部
２８：  不活性ガスライン
２９、３１：  バルブ
３２：  不活性ガスライン
３３、３４：  バルブ
３５、３６、３７：  不活性ガスライン内の圧力制御器
３８’、３８’’、３８’’’：  バルブ
【図１】
2005230819.tif 000003
【図２】
2005230819.tif 000004
【図３】
2005230819.tif 000005
【図４】
2005230819.tif 000006
【図５】
2005230819.tif 000007
【図６】
2005230819.tif 000008